(57)【特許請求の範囲】
【請求項１】
遊技台が設置された遊技場において、少なくとも前記遊技台における遊技に関する遊技情報を含む各種情報を遊技客に提供する情報提供システムであって、
前記遊技情報を逐次収集、管理する遊技情報管理装置と、該遊技情報管理装置に通信手段を介してデータ通信可能に接続されるとともに、遊技客が所持する携帯電話から所定時間毎に発信される個別情報番号が乗調された所定周波数の電波を受信可能に前記遊技場の所定位置に配置された基地局と、を具備し、
前記遊技情報管理装置は、前記基地局の通信エリア内に入ることで前記各種データを送信した前記携帯電話の個別情報番号が登録されるエリア内端末データベースを備え、前記基地局の通信エリア内に前記遊技者の所持する携帯電話が新規に入ったことを、該携帯電話の個別情報番号が乗調された電波を前記基地局にて受信したことに応じて、前記エリア内端末データベースに該受信した個別情報番号が未登録であることにより判断し、該携帯電話が新規に前記通信エリアに入ったと判定したことを条件に該携帯電話に発呼とともに所定の表示データを送信して、該携帯電話の表示部に情報の伝送の要否を選択する選択メニューを着呼前に表示させ、遊技者により「要」が選択された場合に、その携帯電話より着呼後に送出される情報出力要求に基づき、前記基地局を通じて前記収集、管理している遊技情報を少なくとも含む各種情報データをその携帯電話に伝送するとともに該携帯電話の個別情報番号を前記エリア内端末データベースに登録し、該エリア内端末データベースに登録されている個別情報番号が乗調された電波が前記基地局によって受信されなくなったことを条件に該個別情報番号の登録を抹消することを特徴とする遊技場における情報提供システム。
【請求項２】
前記表示データの送信と同時に、少なくとも操作要領を含む音声ガイダンスを送信する請求項１に記載の遊技場における情報提供システム。
【請求項３】
前記遊技情報管理装置は、前記携帯電話が新規に前記通信エリアに入ったことを判定したときに、該携帯電話の個別情報番号が、遊技者の選択なしに前記各種情報データを伝送する無条件伝送の携帯電話として登録されているか否かを更に判断し、該無条件伝送の携帯電話として登録されていないと判定されたときに該携帯電話に発呼とともに所定の表示データを送信する一方、前記無条件伝送の携帯電話として登録されていると判断したときには、前記表示データの送信を行うことなく、前記各種情報データの伝送を実施する請求項１または２に記載の遊技場における情報提供システム。
【請求項４】
前記遊技情報管理装置は、前記各々の携帯電話から発信される個別情報番号を記憶する記憶手段を具備する請求項１〜３のいずれかに記載の遊技場における情報提供システム。
【請求項５】
前記遊技情報管理装置は、前記携帯電話から詳細な情報の提供要求がなされた際に、その携帯電話の個別情報番号が予め会員として登録された個別情報番号であるか否かを判断する会員判断手段を具備し、会員である場合にのみ、前記出力要求に対応する詳細な遊技情報を、前記基地局を介して返送する請求項１〜４のいずれかに記載の遊技場における情報提供システム。
【請求項６】
前記携帯電話に着脱可能とされ、該携帯電話の表示容量よりも大きな表示容量の表示部を有し、前記伝送された遊技情報を表示可能な表示ユニットを具備する請求項１〜５のいずれかに記載の遊技場における情報提供システム。
【請求項７】
前記表示ユニットが、伝送された各種情報を記憶、更新する記憶手段を具備する請求項６に記載の遊技場における情報提供システム。
【発明の詳細な説明】
【０００１】
【発明の属する技術分野】
本発明は、パチンコ店のような多数の遊技台を有する遊技場において、各遊技台の遊技データや遊技方法の説明データ等を遊技客が容易に入手できるような顧客サービスを行い得るようにした情報提供システムに関する。
【０００２】
【従来の技術】
パチンコホール等の遊技場においては、遊技場内に設置された遊技機に関する複数の遊技データのうち、遊技客にとって有益な遊技データを提供することにより、遊技場内での遊技に対する興趣および期待感の向上を図り、これを集客力の向上に結び付けようとする試みがなされている。
【０００３】
従来、上記の遊技データを遊技客に提供する方法としては、ＣＲＴディスプレイ等より成る表示装置及び操作用キースイッチ等を備えた大型の情報提供端末を遊技場内の適宜な場所に設置し、上記表示装置に、遊技機に関する説明や特賞確率および出玉率、特賞の発生回数や発生履歴、打ち止め状態の発生回数などの各遊技データを選択的に表示できるように構成することにより行われている。
【０００４】
しかしながら、上記したような大型の情報端末は、１台当りの価格が比較的高価であって、遊技場内の１〜２箇所程度に設置されるのが通常であるため、遊技客は、所望の遊技台の遊技データを知りたい場合には、前記大型の情報端末が設置されている遊技場内の所定の場所までいちいち出向くとともに、前記所望の遊技台の機種や台番号等を覚えるか、またはメモしておいて入力する必要があり、不便であった。
【０００５】
これら上記した不便性を解消するために、近年においては、前記大型の情報端末から遊技者が携帯可能な情報端末に遊技データを伝送し、遊技者が携帯する情報端末により所望する遊技台の遊技データ等を確認できるようにされているシステムが提案されている。
【０００６】
【発明が解決しようとする課題】
しかし、上記した方法においては、やはり前記大型の情報端末から遊技データを逐次入手する必要があるために、大型の情報端末まで逐次出向かなくてはならないという不便性を解消するに至っていない。
【０００７】
このため、近年においては、これら小型情報端末と前記大型の情報端末を無線等により接続して遊技情報を各小型情報端末に配信するシステムが提案されてきている。
【０００８】
しかしながら、これら小型情報端末と前記大型の情報端末を無線により接続する方法では、専用の小型情報端末を必要とされ、遊技客は購入するか、借り受ける必要があるばかりか、これら専用の小型情報端末所持する特定の遊技客のみが前記遊技情報を入手でき、その他の遊技客は入手できないといった不公平を生じるとともに、これら遊技情報を入手するためには、遊技場に出向く際には、前記小型情報端末を携帯しておく必要があるが、これら小型情報端末は常時必要とされるものではないために、持参し忘れやすいという問題があった。
【０００９】
よって、本発明は上記した問題点に着目してなされたもので、専用の小型情報端末を必要とすることなく、遊技客が平等に遊技情報を入手することができ、これら情報端末を独自に携帯する必要のない遊技場における情報提供システムを提供することを目的としている。
【００１０】
【課題を解決するための手段】
上記問題点を解決するために、本発明の遊技場における情報提供システムは、遊技台が設置された遊技場において、少なくとも前記遊技台における遊技に関する遊技情報を含む各種情報を遊技客に提供する情報提供システムであって、
前記遊技情報を逐次収集、管理する遊技情報管理装置と、該遊技情報管理装置に通信手段を介してデータ通信可能に接続されるとともに、遊技客が所持する携帯電話から所定時間毎に発信される個別情報番号が乗調された所定周波数の電波を受信可能に前記遊技場の所定位置に配置された基地局と、を具備し、
前記遊技情報管理装置は、前記基地局の通信エリア内に入ることで前記各種データを送信した前記携帯電話の個別情報番号が登録されるエリア内端末データベースを備え、前記基地局の通信エリア内に前記遊技者の所持する携帯電話が新規に入ったことを、該携帯電話の個別情報番号が乗調された電波を前記基地局にて受信したことに応じて、前記エリア内端末データベースに該受信した個別情報番号が未登録であることにより判断し、該携帯電話が新規に前記通信エリアに入ったと判定したことを条件に該携帯電話に発呼とともに所定の表示データを送信して、該携帯電話の表示部に情報の伝送の要否を選択する選択メニューを着呼前に表示させ、遊技者により「要」が選択された場合に、その携帯電話より着呼後に送出される情報出力要求に基づき、前記基地局を通じて前記収集、管理している遊技情報を少なくとも含む各種情報データをその携帯電話に伝送するとともに該携帯電話の個別情報番号を前記エリア内端末データベースに登録し、該エリア内端末データベースに登録されている個別情報番号が乗調された電波が前記基地局によって受信されなくなったことを条件に該個別情報番号の登録を抹消することを特徴としている。
この特徴によれば、遊技者が常時所持する携帯電話に前記選択メニューが表示され、情報を得たい遊技客には各種情報データが伝送されるようになるため、特別な端末を必要とすることなく、携帯電話を所持する遊技客に平等に各種情報データが提供されるようになるばかりか、これら携帯電話は常時使用するものであるため、遊技場に持参し忘れることも少ない。
【００１１】
本発明の遊技場における情報提供システムは、前記表示データの送信と同時に、少なくとも操作要領を含む音声ガイダンスを送信することが好ましい。
このようにすれば、遊技客が前記選択メニューの表示に戸惑うことなく、その主旨を理解して操作を実施することができる。
【００１２】
本発明の遊技場における情報提供システムは、前記遊技情報管理装置は、前記携帯電話が新規に前記通信エリアに入ったことを判定したときに、該携帯電話の個別情報番号が、遊技者の選択なしに前記各種情報データを伝送する無条件伝送の携帯電話として登録されているか否かを更に判断し、該無条件伝送の携帯電話として登録されていないと判定されたときに該携帯電話に発呼とともに所定の表示データを送信する一方、前記無条件伝送の携帯電話として登録されていると判断したときには、前記表示データの送信を行うことなく、前記各種情報データの伝送を実施することが好ましい。
このようにすれば、常時各種情報の提供を受けようとする遊技客は、予め自分の所持する携帯電話の個別情報番号を無条件伝送の携帯電話として登録しておくことにより、一々前記選択メニューの入力を行う必要がない。
【００１３】
本発明の遊技場における情報提供システムは、前記遊技情報管理装置は、前記各々の携帯電話から発信される個別情報番号を記憶する記憶手段を具備することが好ましい。
このようにすれば、来場する遊技客の所持する個別情報番号を記録して顧客情報として活用することができるようになる。
【００１４】
本発明の遊技場における情報提供システムは、前記遊技情報管理装置は、前記携帯電話から詳細な情報の提供要求がなされた際に、その携帯電話の個別情報番号が予め会員として登録された個別情報番号であるか否かを判断する会員判断手段を具備し、会員である場合にのみ、前記出力要求に対応する詳細な遊技情報を、前記基地局を介して返送することが好ましい。
このようにすれば、予め会員登録された個別情報番号の携帯電話のみに、より詳細な遊技情報が提供されるようになるため、会員の付加価値を向上できる。
【００１５】
本発明の遊技場における情報提供システムは、前記携帯電話に着脱可能とされ、該携帯電話の表示容量よりも大きな表示容量の表示部を有し、前記伝送された遊技情報を表示可能な表示ユニットを具備することが好ましい。
このようにすれば、限られた携帯電話の表示容量に限定されることなく、より多くの情報を同時に表示することができる。
【００１６】
本発明の遊技場における情報提供システムは、前記表示ユニットが、伝送された各種情報を記憶、更新する記憶手段を具備することが好ましい。
このようにすれば、前記携帯電話内の記憶部の記憶容量の容量負荷を低減できるとともに、これら記憶部の記憶容量に限定されることなく情報を記憶することができるようになり、更には、前記基地局の通信エリア外においても、遊技情報を確認できるばかりか、携帯電話より表示ユニットを取り外した状態においても、情報表示を可能にできる。
【００１７】
【発明の実施の形態】
以下、本発明の実施例を図面に基づいて説明する。
【００１８】
（実施例）
図１は、本実施例の遊技場における情報提供システムの構成を示すブロック図であり、図２は、本実施例の情報提供システムにおける遊技情報管理コンピュータに収集された遊技情報を示す図であり、図３は、本実施例の情報提供システムにおける遊技情報管理コンピュータに登録された個別情報番号デ−タベ−スを示す図であり、図４は、本実施例の情報提供システムに用いた基地局の構成を示すブロック図であり、図５は、本実施例の情報提供システムにおける端末である簡易型携帯電話（ＰＨＳ端末）を示す外観斜視図であり、図６は、本実施例の情報提供システムにおける端末である簡易型携帯電話（ＰＨＳ端末）の構成を示すブロック図である。
【００１９】
本実施例の遊技場における情報提供システムの主な構成は、図１に示すようになっており、遊技情報管理装置としての遊技情報管理コンピュータ１（以下管理コンピュータと略称する）は、信号線４にて遊技場内の各遊技島３に設置された各々の遊技台（本実施例ではパチンコ台）２毎に設けられた各種のセンサー（図示せず）と接続されており、前記信号線４を介して各遊技台２および遊技台に隣接して設けられた玉貸機であるサンド（図示略）の各種情報を収集し、各遊技台における遊技情報データを管理コンピュータ１内の記憶装置（図示せず）に記憶、更新するとともに、これら記憶装置には、後述する個々の受信端末である簡易型携帯電話（以下ＰＨＳ端末と略称する）７に、個別に付与された個別情報番号である電話番号データが、図３に示すように登録されている。
【００２０】
また、この管理コンピュータ１は、図１に示すように、本実施例では遊技場の所定位置に複数設置した基地局６と通信ケーブル５を介して接続され、前記各基地局６にて受信される、各基地局６にて形成された通信エリア内に入ったＰＨＳ端末７より所定時間毎に送信される該ＰＨＳ端末７の電話番号デ−タを逐次監視するとともに、前記基地局６を介して所定の遊技情報データを送出するようになっている。
【００２１】
前記管理コンピュータ１は、前記信号線４を介して、図２に示すような各項目の遊技台情報を各遊技台毎に収集し、逐次更新記憶するとともに、ディスプレイ上に表示するようになっており、これら各遊技情報は各遊技台番号と対応付けられた形のデータベースとして記憶され、これら遊技情報の内、図２において黒で示された本日における特賞回数、入賞回転数、確変回数データが、通常遊技デ−タとして各遊技台番号に関連付けられて、個々のＰＨＳ端末７に送信される。
【００２２】
また、本実施例では、前記図２に示す遊技台情報において、現在状況が非稼働の遊技台番号を空台情報として前記通常遊技デ−タとして各々のＰＨＳ端末７に送信されるようになっている。
【００２３】
また、本実施例では、前記のように、管理コンピュ−タ１内部の記憶装置に、図３に示すように、利用者が所持する各ＰＨＳ端末７の電話番号に、利用者の氏名、前記通常遊技デ−タを利用者の選択なしに無条件にて伝送する無条件伝送項目および利用者の会員の有無の項目とが、個々に関連付けられた個別情報番号デ−タベ−スとして、予め登録、記憶されている。
【００２４】
前記基地局６の構成は、図４に示すように、その内部には、前記通信ケーブル５介して管理コンピュータ１とデータ通信を実施する通信部１０と、前記通信部１０において送受信されるデータおよび前記ＰＨＳ端末７より伝送されたデータを一時記憶するためのメモリ１１と、前記ＰＨＳ端末７と電波の送受信をアンテナ１６を介して行う送信部１３および受信部１４およびアンテナスイッチ１５を有する送受信ＲＦモジュール１２と、この送受信ＲＦモジュール１２において送受信される電波（ＰＨＳでは１．９ＧＨｚ帯域）の変復調を実施するπ／４シフトＱＰＳＫ変復調モデム９と、これら各部の制御やＰＨＳ端末７との送受信における制御等を実施するとともに、後述するように、ＰＨＳ端末７との通信を実施するチャンネルの選択等の決定等を実施するコントローラ８と、を設けている。
【００２５】
これら、基地局６との所定電波にて通信を行うＰＨＳ端末７は、図５に示さすように、一般的に使用されている通常のＰＨＳ端末７であり、その構成は、図６に示すように、アンテナ１７を介して前記基地局６と電波のやり取りを実施するための受信部３１および送信部３２およびアンテナスイッチ３３を備えた送受信ＲＦモジュール３０と、この送受信ＲＦモジュール３０により受信された電波の復調および、前記送受信ＲＦモジュール３０により送信される電波の変調とを実施するπ／４シフトＱＰＳＫ変復調モデム３４と、前記基地６より送信された遊技情報データ等を記憶するＳＲＡＭ３７と、このＳＲＡＭ３７に記憶されている各種の遊技情報データや、ＰＨＳ端末７の各種情報を表示する、ＬＣＤパネル２３とＬＣＤドライバ２４から成るＬＣＤモジュ−ル２２と、マイク２１より入力する音声を適応差分量子化（ＡＤＰＣＭ）方式にてデジタル化するとともに、前記π／４シフトＱＰＳＫ変復調モデム３４より出力されるＡＤＰＣＭデ−タを音声信号に変換するＡＤＰＣＭコ−デック２０と、このＡＤＰＣＭコ−デック２０に接続されたアンプ１９およびマイクロスピ−カ１８と、着信音や各種操作時における告知音を出力するサウンダやＬＥＤ、バイブレ−タを駆動するドライバ２５と、ＰＨＳ端末７の前面に設けられ、選択スイッチ２７やテンキ−２６や決定スイッチ３９や切替スイッチ３８等の各種スイッチ群から成る入力部２８と、後述する表示ユニット４０等の外部機器とのシリアルデ−タ通信を行うための接続端子部２９と、これら各種のデバイスを制御するＭＰＵ３５と、から構成され、前記ＭＰＵ３５内部には、ＭＰＵ３５が行う制御動作を記述したプログラムおよび個々のＰＨＳ端末７に付与されている電話番号デ−タや識別ＩＤ等が記憶された内部ＲＯＭ３６を有している。
【００２６】
以下、本実施例の情報提供システムの動作について、図７に基づいて説明すると、利用者である遊技客が前記基地局６の通信可能エリアに入ると、利用者が所持するＰＨＳ端末７から所定時間毎に所定周波数の制御チャンネルにて発信される前記個別情報番号である電話番号デ−タが、前記基地局６により受信される。
【００２７】
これら受信された電話番号デ−タは、前記管理コンピュ−タ１に出力され、管理コンピュ−タ１は、伝送されてきた電話番号デ−タが、エリア内端末デ−タベ−スに登録されている電話番号に一致するものがない場合には、新規に通信エリア内に入ったＰＨＳ端末７として判断し、その電話番号が、前記個別情報番号デ−タベ−スの無条件伝送に登録されているか否かを検索、判断する。
【００２８】
ここで、前記エリア内端末デ−タベ−スについて説明すると、本実施例においては、前記管理コンピュ−タ１は、同一のＰＨＳ端末７に多数回に渡って同様の遊技情報を送信することがないように、一度遊技情報を送信したＰＨＳ端末７の電話番号デ−タを、その送信時刻デ−タとともに前記エリア内端末デ−タベ−スに登録するとともに、該ＰＨＳ端末７が基地局６の通信エリア外に出て、前記所定時間毎に送信される電話番号デ−タが、基地局６によって受信されなくなってから所定時間経過した後には、該ＰＨＳ端末７の電話番号デ−タの登録を抹消するようになっており、このようにエリア内端末デ−タベ−スを逐次更新することで、前記基地局６により受信されるＰＨＳ端末７よりの前記電話番号デ−タに基づき、該ＰＨＳ端末７が既に通信エリア内に存在して既に遊技情報の送信を受けたものであるか、新たに通信エリア内に入ったＰＨＳ端末７であるかを判断できるようになっている。
【００２９】
また、本実施例においては、前記エリア内端末デ−タベ−スに一度登録された個々のＰＨＳ端末７の電話番号デ−タは、その登録時間とともに来場者データとして管理コンピュータ１の記憶装置に記憶されるようになっている。
【００３０】
このようにすれば、前記来場者データによって来場者の状況を確認するとともに、顧客情報としても活用することができるようになる。
【００３１】
前記ようにして、新規に通信エリア内に入ったＰＨＳ端末７として判断され、無条件伝送の登録が、未登録または「Ｎｏ」であるＰＨＳ端末７には、前記管理コンピュ−タ１は、前記基地局６に対して、該ＰＨＳ端末７に発呼を行うように発呼要求を出力するとともに、発信者番号情報デ−タとして、ＰＨＳ端末７のＬＣＤパネル２３に表示される選択メニュ−の表示デ−タを出力する。
【００３２】
これに基づき、前記基地局６は、所定周波数の制御チャンネルにて発呼信号とともに前記選択メニュ−の表示デ−タを、該ＰＨＳ端末７に出力する。
【００３３】
この発呼信号の受信により、前記ＰＨＳ端末７は、ＬＥＤおよび着呼音またはバイブレ−タにより所持者に着呼を告知するとともに、受信した表示デ−タを、図５に示すようにＬＣＤパネル２３に表示する。
【００３４】
該ＰＨＳ端末７の所持者は、前記告知によりまずＬＣＤパネル２３を確認して通話スイッチを入力し、回線を接続する。
【００３５】
この回線接続による接続信号は、前記管理コンピュ−タ１に出力され、これに基づき、管理コンピュ−タ１は予めデジタル化されて記憶されているた音声ガイダンスデ−タを、前記基地局６を介して接続された回線チャンネルにて出力する。
【００３６】
これら音声ガイダンスデ−タは、前記ＡＤＰＣＭコ−デック２０により音声に変換されて、利用者はマイクロスピ−カ１８より音声ガイダンスを聴取することができる。
【００３７】
これら音声ガイダンスを送信することは、本実施例の情報提供システムが、未登録の遊技客が所持するＰＨＳ端末７にも前記表示デ−タを伝送して選択メニュ−を表示させることから、遊技客はその内容をより詳しく理解して操作を実施できることから好ましいが、本発明はこれに限定されるものではない。
【００３８】
利用者は、遊技デ−タを入手したい場合には１を、入手不要の場合には２を選択して入力する。
【００３９】
この際、２が入力されるかまたは所定時間経過しても選択がなされない場合には、入手不要とみなし、遊技デ−タの送信は実施されず、１が入力された場合には、前記回線チャネルを通じて前記通常遊技情報が送信され、ＰＨＳ端末７内部のＳＲＡＭ３７に記憶される。
【００４０】
これら前記通常遊技情報の受信が完了した後、ＰＨＳ端末７からは受信完了信号が送信され、これら受信完了信号は、基地局６を介して管理コンピュ−タ１に出力され、管理コンピュ−タ１が通信終了指示を前記基地局６に出力することで、回線が切断されるようになっている。
【００４１】
また、前記の無条件伝送の登録が「Ｙｅｓ」であるＰＨＳ端末の場合には、前記管理コンピュータ１は、図７の矢印Ａに示すように、前記の表示メニューおよび音声ガイダンスの送信を実施することなく、回線接続がなされた場合にすぐに通常遊技データを送信するようになっている。
【００４２】
このように、予め無条件伝送に登録されたＰＨＳ端末７においては、利用者が逐次遊技情報の提供の要否選択を実施することなく、すぐに遊技情報が伝送されてくることから、常時遊技情報を得たい利用者にとって、便利となる。
【００４３】
これらＰＨＳ端末７に受信されて前記ＳＲＡＭ３７に記憶された遊技情報は、利用者が前記ＰＨＳ端末７の切り替えスイッチ３８を入力することにより、図８（ａ）に示すメインメニュ−が前記ＬＣＤパネル２３に表示される。
【００４４】
本実施例においては、前記のように、通常遊技情報データとして、本日における特賞回数、入賞回転数、確変回数データ、空台情報とともに各遊技台の機種毎の遊技方法の説明情報並びにイベント情報が送信されるようになっており、これら各項目が前記メインメニュ−として表示される。
【００４５】
利用者は、このメインメニュ−において、所望の項目を選択スイッチ２７により選択するか、テンキー２６にて入力する。
【００４６】
本実施例では、１〜４を入力することで、図８（ｂ）〜（ｅ）の各表示が表示されるようになっており、表示（ｂ）においては、所望の遊技台の台番号を選択または入力することにより、（ｆ）に示すその遊技台に関連付けられて前記ＳＲＡＭ３７に記憶されている本日における特賞回数、入賞回転数、確変回数データが表示されるようになっている。
【００４７】
また、前記（ｆ）の表示において、利用者が該遊技台に関するより詳細な情報（前日または前々日のデータ等）を入手したい場合には、詳細情報を選択する。
【００４８】
この詳細情報の選択に基づいて、該ＰＨＳ端末７は、図９に示すように前記基地局６との通信を実施して、詳細な遊技情報データを入手する。
【００４９】
この詳細な遊技情報データの伝送手順に関して、図９に基づき説明すると、前記詳細情報の選択に基づき、該ＰＨＳ端末７は、そのＰＨＳ端末７の個別情報番号である電話番号データを接続要求信号とともに制御チャンネルにて送信する。
【００５０】
基地局６は、受信した電話番号データを前記管理コンピュータ１に出力するとともに、チャンネルスキャンを実施して空きチャンネルを確認し、通信に使用する回線チャンネルを選択する。
【００５１】
管理コンピュータ１は、前記基地局６より出力された電話番号データが、前記個別情報番号データベースにおいて、会員として登録されているか否かを検索、比較して判断し、該電話番号が会員登録されているものである場合においてのみ、接続許諾を出力する。
【００５２】
このようにすれば、所定の登録されたＰＨＳ端末７のみが前記管理コンピュータ１に接続して詳細な遊技遊技情報データを入手できるようになるため、登録された会員以外の不正なＰＨＳ端末７が接続して不正に情報が搾取されることを防止できるとともに、会員の付加価値を向上できることから好ましいが、本発明はこれに限定されるものではない。
【００５３】
この接続許諾に基づき、基地局６は、前記にて選択した回線チャンネルデータと接続許諾を制御チャンネルにて前記ＰＨＳ端末７に出力する
この回線チャンネルデータと接続許諾の受信に基づき、ＰＨＳ端末７は、基地局６により指示された前記回線チャンネルにより回線接続を実施するとともに、該回線チャンネルにて詳細情報出力要求とその台番号データとを送信する。
【００５４】
これら詳細情報出力要求とその台番号データは、前記基地局６を介して前記管理コンピュータ１に出力され、これに基づき、図２に示す該台番号データに関連付けられて記憶されている詳細な遊技情報データが、前記基地局６を介してＰＨＳ端末７に送信される。
【００５５】
これら送信された詳細な遊技情報は、前記ＰＨＳ端末７のＳＲＡＭ３７に記憶され、前記ＬＣＤパネル２３に表示される。
【００５６】
以上、本実施例のようにすれば、各遊技客が常時所持するＰＨＳ端末７に、遊技客の要望に応じて平等に逐次遊技情報を配信できるようになり、遊技客は、これら情報を得るために逐次所定部所等に出向く必要もない。
【００５７】
また、本実施例では、前記したようにＰＨＳ端末７のＬＣＤパネル２３に遊技情報が表示されるようになっているが、これらＰＨＳ端末７等の携帯電話の表示容量には、限界があることから、必要に応じて図１０に示すような、より大きな表示容量のＬＣＤパネル４２を有する表示ユニット４０をＰＨＳ端末７に装着して使用するようにしても良い。
【００５８】
この表示ユニット４０は、図１１に示すような構成とされており、前記ＰＨＳ端末７の下部と嵌合可能な形状とされた筐体４１の内部に、前記ＬＣＤパネル４２の表示動作を制御するＬＣＤドライバ４７と、各種遊技情報データを記憶する記憶部４８と、テンキー４３、選択スイッチ４４、決定スイッチ４５と、前記ＰＨＳ端末７の下面部に設けられた接続端子部２９と接続する接続端子部４６と、これら各部の制御等を実施し、その内部に各種制御プログラム等が記憶された内部ＲＯＭ５０を有するＭＰＵ４９と、を具備しており、この表示ユニット４０をＰＨＳ端末７に装着することによって、前記接続端子部２９と接続端子部４６とが接続され、表示ユニット４０とＰＨＳ端末７とがシリアル通信可能となるようになっている。
【００５９】
これらシリアル通信を介して、前記ＰＨＳ端末７によって受信または前記ＳＲＡＭ３７に記憶された遊技情報データは、逐次表示ユニット４０に出力されて前記記憶部４８に記憶されるようになっており、これら表示ユニット４０がＰＨＳ端末７より離脱された状態であっても、表示ユニット４０が遊技情報を表示できるようになっている。
【００６０】
また、これら表示ユニット４０の前記記憶部４８に記憶された遊技情報データは、前記接続端子部４６を介してその他のコンピュータや電子手帳等の機器等に出力することも可能となっている。
【００６１】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００６２】
また、前記実施例では、簡易型携帯電話であるＰＨＳ端末７を例に説明したが、本発明はこれに限定されるものではなく、通常の携帯電話において実施するようにしても良い。
【００６３】
また、前記実施例においては、個別情報番号データとして電話番号データを使用しているが、本発明はこれに限定されるものではなく、これら個別情報番号データとしては、各携帯電話端末より所定時間毎に送出され、その携帯電話端末を特定できる情報番号データであれば特に限定されるものではなく、例えば各携帯電話端末に個別に付与された識別ＩＤ等を使用するようにしても良い。
【００６４】
また、前記実施例では、各遊技台に関する遊技情報を収集項目を、図２に示す内容としているが、本発明はこれに限定されるものではなく、これら各遊技台毎の遊技情報の項目は、適宜に選定して収集するようにすれば良い。
【００６５】
また、前記実施例では、遊技台をパチンコ台として説明したが、本発明はこれら遊技台を特に限定するものではない。
【００６６】
【発明の効果】
本発明は以下の効果を奏する。
【００６７】
（ａ）請求項１項の発明によれば、遊技者が常時所持する携帯電話に前記選択メニューが表示され、情報を得たい遊技客には各種情報データが伝送されるようになるため、特別な端末を必要とすることなく、携帯電話を所持する遊技客に平等に各種情報データが提供されるようになるばかりか、これら携帯電話は常時使用するものであるため、遊技場に持参し忘れることも少ない。
【００６８】
（ｂ）請求項２項の発明によれば、遊技客が前記選択メニューの表示に戸惑うことなく、その主旨を理解して操作を実施することができる。
【００６９】
（ｃ）請求項３項の発明によれば、常時各種情報の提供を受けようとする遊技客は、予め自分の所持する携帯電話の個別情報番号を無条件伝送の携帯電話として登録しておくことにより、一々前記選択メニューの入力を行う必要がない。
【００７０】
（ｄ）請求項４項の発明によれば、来場する遊技客の所持する個別情報番号を記録して顧客情報として活用することができるようになる。
【００７１】
（ｅ）請求項５項の発明によれば、予め会員登録された個別情報番号の携帯電話のみに、より詳細な遊技情報が提供されるようになるため、会員の付加価値を向上できる。
【００７２】
（ｆ）請求項６項の発明によれば、限られた携帯電話の表示容量に限定されることなく、より多くの情報を同時に表示することができる。
【００７３】
（ｇ）請求項７項の発明によれば、前記携帯電話内の記憶部の記憶容量の容量負荷を低減できるとともに、これら記憶部の記憶容量に限定されることなく情報を記憶することができるようになり、更には、前記基地局の通信エリア外においても、遊技情報を確認できるばかりか、携帯電話より表示ユニットを取り外した状態においても、情報表示を可能にできる。
【００７４】
【図面の簡単な説明】
【図１】本発明の実施例における情報提供システムの構成を示すブロック図である。
【図２】本発明の実施例における情報提供システムの遊技情報管理コンピュータに収集された遊技情報を示す図である。
【図３】本発明の実施例における情報提供システムの遊技情報管理コンピュータに登録された個別情報番号デ−タベ−スを示す図である。
【図４】本発明の実施例における情報提供システムに用いた基地局の構成を示すブロック図である。
【図５】本発明の実施例における情報提供システムに用いた簡易型携帯電話を示す外観斜視図である。
【図６】本発明の実施例における情報提供システムに用いた簡易型携帯電話の構成を示すブロック図である。
【図７】本発明の実施例の情報提供システムにおける基地局とＰＨＳ端末との通信手順を示す図である。
【図８】本発明の実施例における情報提供システムに用いたＰＨＳ端末の遊技情報の表示状態を示す図である。
【図９】本発明の実施例の情報提供システムにおける基地局とＰＨＳ端末との通信手順を示す図である。
【図１０】本発明の実施例におけるＰＨＳ端末に装着される表示ユニットを示す外観斜視図である。
【図１１】本発明の実施例におけるＰＨＳ端末に装着される表示ユニットの構成を示すブロック図である。
【符号の説明】
１                    （遊技情報）管理コンピュータ
２                    遊技台（パチンコ台）
３                    遊技島
４                    信号線
５                    通信ケ−ブル
６                    基地局
７                    ＰＨＳ端末（簡易携帯電話）
８                    コントローラ
９                    π／４シフトＱＰＳＫ変復調モデム
１０                  通信部
１１                  メモリ
１２                  送受信ＲＦモジュール
１３                  送信部
１４                  受信部
１５                  アンテナスイッチ
１６                  アンテナ
１７                  アンテナ
１８                  マイクロスピーカ
１９                  アンプ
２０                  ＡＤＰＣＭコーデック
２１                  マイク
２２                  ＬＣＤモジュール
２３                  ＬＣＤパネル
２４                  ＬＣＤドライバ
２５                  ドライバ
２６                  テンキー
２７                  選択スイッチ
２８                  入力部
２９                  接続端子
３０                  送受信ＲＦモジュール
３１                  送信部
３２                  受信部
３３                  アンテナスイッチ
３４                  π／４シフトＱＰＳＫ変復調モデム
３５                  ＭＰＵ
３６                  内部ＲＯＭ
３７                  ＳＲＡＭ
３８                  切り替えスイッチ
３９                  決定スイッチ
４０                  表示ユニット
４１                  筐体
４２                  ＬＣＤパネル
４３                  テンキー
４４                  選択スイッチ
４５                  決定スイッチ
４６                  接続端子
４７                  ＬＣＤドライバ
４８                  記憶部
４９                  ＭＰＵ
５０                  内部ＲＯＭ
【図１】
0004416094.tif 000002
【図２】
0004416094.tif 000003
【図３】
0004416094.tif 000004
【図４】
0004416094.tif 000005
【図５】
0004416094.tif 000006
【図６】
0004416094.tif 000007
【図７】
0004416094.tif 000008
【図８】
0004416094.tif 000009
【図９】
0004416094.tif 000010
【図１０】
0004416094.tif 000011
【図１１】
0004416094.tif 000012